(57)【要約】【課題】軸筒を前軸と回転操作体としての後軸とに形成して、軸筒内に配した回転繰出機構により軸筒内に収容した筆記体の筆記先端部を軸筒の先端開口部より出没してなる回転繰出式筆記具において、簡単な構造で、組立も複雑とならずに、前軸の後端部にあたかも装飾金輪を装着したかのように見える回転繰出式筆記具を得る。【解決手段】回転繰出機構を構成する摺動ケース７の外周面上に、後軸２ｂの前軸２ａに連接する側の前端部２ｂａの内径より小径な外径で、前軸２ａの後端が当接可能な装飾金輪２４を、連接筒２６または摺動ケース７に対して前後動しないように設ける。連接筒２６を前軸２ａに圧入して前軸２ａの後端を装飾金輪２４に当接して前軸２ａと後軸２ｂを連接した際に、装飾金輪２４の前端部２４ａが外方に露出するようにする。【選択図】図１
2011167884.tif 000002
【特許請求の範囲】
【請求項１】
軸筒を前軸と回転操作体としての後軸とに形成して、後軸内に、回転繰出機構を構成する筆記体を挿入する挿入部を有した内筒体を後軸に対して回転可能に配し、内筒体に固定した連接筒を、前軸の内部に圧入状態で挿着することにより、前軸と後軸を着脱自在にかつ互いに回転可能に連接し、後軸を前軸に対して回転することにより内筒体に挿入した筆記体の筆記先端部を軸筒の先端開口部より出没してなる回転繰出式筆記具において、前記連接筒または内筒体の外周面上に、後軸の前軸に連接する側の前端部の内径より小径な外径で、前軸の後端が当接可能な装飾金輪を、連接筒または内筒体に対して前後動しないように配し、連接筒を前軸に圧入して前軸の後端を装飾金輪に当接して前軸と後軸を連接した際に、装飾金輪の少なくとも前端部が外方に露出するように設けたことを特徴とする回転繰出式筆記具。
【請求項２】
前記装飾金輪を、後端部が後軸または後軸の前端部に装着した金輪により隠蔽されるように設けた、請求項１に記載の回転繰出式筆記具。
【請求項３】
前記装飾金輪の前端部に、前軸の後端部を挿入するための凹状の挿入部を設けたことを特徴とする、請求項１または２に記載の回転繰出式筆記具。
【請求項４】
前記装飾金輪の外径を、前軸の後端部の外径と略同一としたことを特徴する、請求項１ないし３のいずれか１項に記載の回転繰出式筆記具。
【発明の詳細な説明】
【技術分野】
【０００１】
本発明は、軸筒を前軸と回転操作体としての後軸とで構成し、前軸に対して後軸を回転することにより、軸筒内に収容した筆記体の筆記先端部を軸筒の先端開口部より出没可能とした回転繰出式筆記具に関する。
【背景技術】
【０００２】
従来、軸筒を前軸と回転操作体としての後軸とに形成して、後軸内に、回転繰出機構を構成する筆記体を挿入する挿入部を有した内筒体を後軸に対して回転可能に配し、内筒体に固定した連接筒を、前軸の内部に圧入状態で挿着することにより、前軸と後軸を着脱自在にかつ互いに回転可能に連接し、後軸を前軸に対して回転することにより内筒体に挿入した筆記体の筆記先端部を軸筒の先端開口部より出没してなる回転繰出式筆記具は知られている。
【０００３】
前記回転繰出式筆記具においては、看者にデザイン上の美観をアピールするために、特開２００２−２２５４８４号公報に開示されているように、後軸の前端部に飾りリングを装着したものが提案されまた商品として提供されているが、前軸の後端に金属製の飾りリング（装飾金輪）を装着したものは、提供されていなかった。
【０００４】
その理由を図１および図２を用いて説明すると、内筒体（摺動ケース）７に固定した連接筒２６を、前軸２ａの内部に圧入状態で挿着することにより、前軸２ａと後軸２ｂを着脱自在にかつ互いに回転可能に連接した構造の回転繰出筆記具にあっては、連接筒２６を前軸２ａの後端部２ａｂの内壁面に圧入状態で挿着可能とするために、例えば、連接筒２６には、外方に拡開した圧入挿着部２５を設けてあり、該圧入挿着部２５に、前軸２ａの後端部２ａｂの内壁面に圧接状態で当接する外方に突出し軸心方向に延びた圧接部２５ａを対向した３箇所に設けて、圧入状態で挿着可能としてある。金属製の装飾金輪を前軸の後端部に装着するには、装飾金輪の一部を前軸の後端部の内壁面や外壁面に接着や螺着等して固定することになる。そのために、装飾金輪を前軸の後端部に装着したものに連接筒を挿入しようとすると、前記圧入挿着部の圧接部が装飾金輪の内壁面や前軸の後端部の内壁面に圧接した状態で進入しようとするが、装飾金輪や前軸の後端部が変形しないので、前軸の連接筒への着脱を繰り返すと前記圧接部が削られてしまい、前軸と連接筒の圧入状態での連接ができなくなってしまうという問題が起こる。こうした問題を解消するには、連接筒の圧入挿着部の圧接部が削られ難いような装飾金輪または前軸の後端部の形状や構造にする必要が生じ、構造が複雑になったり、組立が煩雑になったりして、製造コストが大幅にアップしてしまうという問題があるからである。
【０００５】
本発明者は、前軸の後端部に装飾金輪を挿着するための構造や手段について種々検討した結果、後軸の動きに連動することなく、後軸に対して回転可能に配した内筒体または連接筒に、前軸の後端に当接した装飾金輪を装着することにより、あたかも前軸の後端部に装飾金輪が装着したかのように見えることを見いだし、本発明に至った。
【先行技術文献】
【特許文献】
【０００６】
【特許文献１】特開２００２−２２５４８４号公報
【発明の開示】
【発明が解決しようとする課題】
【０００７】
本発明の目的は、軸筒を前軸と回転操作体としての後軸とに形成して、後軸内に、回転繰出機構を構成する筆記体を挿入する挿入部を有した内筒体を後軸に対して回転可能に配し、内筒体に固定した連接筒を、前軸の内部に圧入状態で挿着することにより、前軸と後軸を着脱自在にかつ互いに回転可能に連接し、後軸を前軸に対して回転することにより内筒体に挿入した筆記体の筆記先端部を軸筒の先端開口部より出没してなる回転繰出式筆記具において、簡単な構造で、組立も複雑とならずに、前軸の後端部にあたかも装飾金輪を装着したかのように見える回転繰出式筆記具を得ることにある。
【課題を解決するための手段】
【０００８】
本発明は、
「１．軸筒を前軸と回転操作体としての後軸とに形成して、後軸内に、回転繰出機構を構成する筆記体を挿入する挿入部を有した内筒体を後軸に対して回転可能に配し、内筒体に固定した連接筒を、前軸の内部に圧入状態で挿着することにより、前軸と後軸を着脱自在にかつ互いに回転可能に連接し、後軸を前軸に対して回転することにより内筒体に挿入した筆記体の筆記先端部を軸筒の先端開口部より出没してなる回転繰出式筆記具において、前記連接筒または内筒体の外周面上に、後軸の前軸に連接する側の前端部の内径より小径な外径で、前軸の後端が当接可能な装飾金輪を、連接筒または内筒体に対して前後動しないように配し、連接筒を前軸に圧入して前軸の後端を装飾金輪に当接して前軸と後軸を連接した際に、装飾金輪の少なくとも前端部が外方に露出するように設けたことを特徴とする回転繰出式筆記具。
２．前記装飾金輪を、後端部が後軸または後軸の前端部に装着した金輪により隠蔽されるように設けた、前記１項に記載の回転繰出式筆記具。
３．前記装飾金輪の前端部に、前軸の後端部を挿入するための凹状の挿入部を設けたことを特徴とする、前記１項または２項に記載の回転繰出式筆記具。
４．前記装飾金輪の外径を、前軸の後端部の外径と略同一としたことを特徴する、前記１項ないし３項のいずれか１項に記載の回転繰出式筆記具。」
である。
【０００９】
本発明において、後軸内に配設する回転繰出機構とは、従来よりよく知られている構造のもので特別なものではない。例えば、筆記体を収容する筆記体収容部を有した摺動ケースとも呼ばれている内筒体の外周面上に、後軸を回転することで回転可能な回転カムを配し、前記筆記体収容部に、カム係止突起を有した摺動体を装着した筆記体を、ばねにより軸筒の先端開口部と反対側の後方に付勢して配し、カム係止突起を回転カムに形成した傾斜面を有したカム面に当接して、回転カムの回転にともないカム係止突起がカム面に沿って移動することで摺動体および筆記体が前後動し、筆記体の筆記先端部を軸筒の先端開口部より出没させる構造のものがある。本発明において回転繰出機構を構成する内筒体とは、前記内筒体（摺動ケース）のことである。また例えば、軸筒内に、外周面に略Ｖ字型状に形成した内外を貫通したガイド溝を有した筆記体を収容する収容筒を後軸に連動して前軸に対して回転可能に配し、収容筒内に、後端に軸径方向に突出した係止突起を有した部材を装着した筆記体を、係止突起を前記ガイド溝に挿入しばねにより軸筒の先端開口部と反対側の後方に付勢して挿着し、収容筒の回転にともない係止突起がガイド溝に沿って移動することで、筆記体が前後動し、筆記体の筆記先端部を軸筒の先端開口部より出没させる構造のものもある。この場合の内筒体とは前記収容筒のことである。
【００１０】
本発明において前記装飾金輪は、連接筒または内筒体の外周面上に配するが、連接筒または内筒体に固着しても良いし、装飾金輪が連接筒または内筒体に対して回転可能に挿着しても良いが、装飾金輪が連接筒または内筒体に対して前後動しないように配することが重要である。また請求項３に係る発明において、前記装飾金輪の外径を、前軸の後端部の外径と略同一に形成するが、略同一とは、前軸の後端部の外径寸法と装飾金輪の外径寸法とが同等、または若干外径寸法に相違があっても良いということである。
【発明の効果】
【００１１】
本発明の回転繰出式筆記具は前記したような構造なので、従来の構造に比べて複雑にすることなく簡単な構造で、組立も従来の構造のものより複雑とすることなく、装飾金輪を前軸の後端にあたかも装着したかのように見える。
【００１２】
請求項２に係る発明とすることで、連接筒または内筒体外周面上に配した装飾金輪の後端部と後軸の前端または後軸の前端部に装着した金輪の前端との間に隙間が生じないので、美観性を向上することができるとともに、前記装飾金輪が連接筒または内筒体の外周面上に配されたことが判り難くなり、より前軸の後端に装着したかのように見える効果がある。
【００１３】
請求項３に係る発明とすることで、前軸と後軸を連接した際に、前軸の後端が内側方向に移動することによるがたつきを抑えることができるという効果がある。
【００１４】
請求項４に係る発明とすることで、前軸と後軸を連接した際に、前軸と後軸の連接した箇所の後軸の前端部における外径をあまり大きくしないですみ、回転繰出式筆記具の全体の軸径をより細くすることができるという利点がある。
【図面の簡単な説明】
【００１５】
【図１】本発明の実施例を示す、回転繰出式筆記具の要部を断面した断面図である。
【図２】図１における連接筒を固定した摺動ケースの外周面上に、装飾金輪を挿着した状態を示す拡大縦断面図である。
【発明を実施するための最良の形態】
【００１６】
本発明は、軸筒を前軸と回転操作体としての後軸とに形成して、後軸内に、回転繰出機構を構成する筆記体を挿入する挿入部を有した内筒体を後軸に対して回転可能に配し、内筒体に固定した連接筒を、前軸の内部に圧入状態で挿着することにより、前軸と後軸を着脱自在にかつ互いに回転可能に連接し、後軸を前軸に対して回転することにより内筒体に挿入した筆記体の筆記先端部を軸筒の先端開口部より出没してなる回転繰出式筆記具において、前軸の後端部に装飾金輪を装着するのではなく、前記連接筒または内筒体に装飾金輪を装着する。
【実施例】
【００１７】
本発明の実施例を図面を用いて説明する。本実施では、回転繰出式筆記具として、シャープペンシルユニットの筆記体とボールペンレフィルの筆記体を軸筒内に収容した回転繰出式の複合筆記具として説明するが、これに限定されるものではなく、１つの筆記体を軸筒内に収容した回転繰出式筆記具であっても良い。
【００１８】
本実施例の回転繰出式筆記具１は、軸筒２内にボールペンレフィルの筆記体３の２本（図１では１本をのみが表示）とシャープペンシルユニットの筆記体４の１本とを収容した構造のものである。軸筒２は金属製で、前軸２ａと回転操作体としての後軸２ｂと、前軸２ａの前端（図１において左側）に螺着しかつ接着して設けた先窄み状の口金部５とで構成されている。
【００１９】
本実施例における回転繰出機構は、従来よりよく知られている構造のもので、軸筒２の内部に、回転繰出機構を構成する内筒体としての、図示してないが周方向において１２０°ごとに３つの筆記体収容溝６を有した摺動ケース７と、軸心方向に延びたカム面（図示せず）を有した、摺動ケース７の外周面上を回転可能にして配した回転カム筒８とからなり、摺動ケース７の筆記体収容溝６には、２本のボールペンレフィルの筆記体３と１本のシャープペンシルユニットの筆記体４を、コイルスプリング９を介在して後方（図１において右側方向）に付勢して収容し、各々の筆記体３、４の後端部にカム係止突起１０を有した摺動体１１を装着して、各々のカム係止突起１０は、前記回転カム筒８のカム面に後方への押圧状態で当接させてなる構造のものである。
【００２０】
本実施例における回転繰出式筆記具１の後軸２ｂの前端部２ｂａには、後軸２ｂの前端で外方に露出するリング状の装飾部１２ａと、後軸２ｂの内部に圧入する圧入部１２ｂとを有した金輪１２を、圧入部１２ｂを後軸２ｂの前端部２ｂａに圧入しかつ接着して装着してある。
【００２１】
本実施例では、後軸２ｂの周側壁面を内方に凹ませて内方に突出して設けた係止凸部１３を、回転カム筒８の外側面に形成した軸心方向に延びた係止溝１４に係止して、回転カム筒８が後軸２ｂとともに連動して回転可能に、回転カム筒８の先端部８ａを前記金輪１２の圧入部１２ｂの内壁面に接着して、後軸２ｂ内に固定して設けてある。
【００２２】
摺動ケース７は、図２に示すように従来の摺動ケースと同様に、円筒状の前方筒部１５と、筆記体収容溝６を有する収容部１６と、該収容部１６の外径より小径な係止部１７とで構成され、該係止部１７には、外方に突出した係止突部１８を設けてあり、回転カム筒８も従来の回転カム筒と同様に内壁面には、周方向において１２０°ごとに設けた３つの、内方に突出し軸心方向に延びた突条部１９と該突条部１９の先端に形成した前記係止突部１８と係止可能な係止爪部２０とで構成された被係止突部２１を設けてあり、前記摺動ケース７の係止突部１８を被係止突部２１の係止爪部２０に当接させることで、摺動ケース７が回転カム筒８に対して前進して回転カム筒８から離脱しないようにしてある。
【００２３】
摺動ケース７は、前方筒部１５の外径が収容部１６の外径より若干小径に形成して段部２２を設けてある。摺動ケース７の前方筒部１５の外周面上には、前記金輪１２の内径より小径な外径で、前端部（図２において左側方向）に前軸２ａの後端部２ａｂを挿入するための挿入部２３を有した装飾金輪２４を、後端を前記段部２２に当接して回転可能に挿着してある。前記挿入部２３は、前軸２ａの後端部２ａｂを挿入した際に装飾金輪２４の外径と前軸２ａの後端部２ａｂの外径が同一となるように形成してある。
【００２４】
装飾金輪２４の前方（図２において左側方向）の摺動ケース７の前方筒部１５の外周面上には、先端部に外方に拡開した圧入挿着部２５を有した連接筒２６を配してあり、後端を前記装飾金輪２４の前端面に当接した状態で、前方筒部１５の外周壁面にかしめて固定してある。前記圧入挿着部２５の外周面には、前軸２ａの後端部２ａｂの内壁面に圧接状態で当接する外方に突出し軸心方向に延びた圧接部２５ａを対向した３箇所に設けてあり、前軸２ａの後端部２ａｂに圧入挿着部２５を挿入した際には、前記圧接部２５ａが前軸２ａの後端部２ａｂに圧入状態で当接可能としてある。
【００２５】
前記装飾金輪２４は、摺動ケース７の段部２２と連接筒２６の後端で挟持されており、摺動ケース７に対して回転可能であっても前後動することがない。また、装飾金輪２４は、挿入部２３が金輪１２の先端より前方に位置し、後端部２４ｂが金輪１２で被覆されるように寸法設定してある。
【００２６】
前軸２ａと後軸２ｂは、前軸２ａの後端部２ａｂに連接筒２６の圧入挿着部２５を挿入して、圧接部２５ａを前軸２ａの後端部２ａｂの内壁面に圧接し、前軸２ａの後端を装飾金輪２４の挿入部２３に挿入することで着脱自在に連接してある。この時、装飾金輪２４の挿入部２３すなわち前軸２の後端は金輪１２の先端より前方に位置し、装飾金輪２４の後端部２４ｂは金輪１２で被覆されるので、装飾金輪２４はあたかも前軸２ａの後端部２ａｂに装着しているかのように見える。
【００２７】
本実施例の繰出機構においては、後軸２ｂを前軸２ａに対して回転すると、後軸２ｂに連動して回転カム筒８も回転し、該回転カム筒８のカム面に当接した各々の筆記体３、４の摺動体１１に設けたカム係止突起１０がカム面に沿って移動し、各々の摺動体１１および筆記体３、４が軸筒２内を前後動し、順次、各々の摺動体１１のカム係止突起１０がカム面の先端に設けた凹溝２７に係止することで、例えば図１に示すように、ボールペンレフィルの筆記体３の筆記先端部２８やシャープペンシルユニットの筆記体４の筆記先端部２９を軸筒２（口金部５）の先端開口部３０より突出した状態を維持する。シャープペンシルユニットの筆記体４においては、筆記先端部２９より鉛芯３１を繰出すために前軸２ａに対して後軸２ｂを押圧する必要があるが、その際、装飾金輪２４は後軸２ｂに連動して前軸２ａに対して前進しないので、さらに装飾金輪２４はあたかも前軸２ａの後端部２ａｂに装着しているかのように見える。
【００２８】
本実施例においては、従来の回転繰出式筆記具と同様に、後軸２ｂの後端には、クリップ３２と金輪３３を介在して消しゴム受け台３４が回転カム筒８と螺着しかつ接着して配してあり、消しゴム受け台３４には消しゴム３５が挿着してあり、後軸２ｂの後端には頭冠３６を消しゴム受け台３３に着脱自在に螺着して配してある。
【産業上の利用可能性】
【００２９】
軸筒を前軸と回転操作体としての後軸とに形成して、後軸内に、回転繰出機構を構成する筆記体を挿入する挿入部を有した内筒体を後軸に対して回転可能に配し、内筒体に固定した連接筒を、前軸の内部に圧入状態で挿着することにより、前軸と後軸を着脱自在にかつ互いに回転可能に連接し、後軸を前軸に対して回転することにより内筒体に挿入した筆記体の筆記先端部を軸筒の先端開口部より出没してなる回転繰出式筆記具において、後軸の前端部に固着した金輪とは別に、前軸と後軸との間に外方に露出する装飾金輪を設けたい場合に採用することができる。
【符号の説明】
【００３０】
１  回転繰出式筆記具
２  軸筒
２ａ  前軸
２ｂ  後軸
３、４  筆記体
７  摺動ケース
２３  挿入部
２４  装飾金輪
２６  連接筒
２８、２９  筆記先端部
３０  先端開口部
【図１】
2011167884.tif 000003
【図２】
2011167884.tif 000004